(57)【要約】【課題】  荷重変換器は通常のボルト固定式であり、荷重変換器を回転しなくてもよく、荷重変換器の取付けが極めて容易であり、荷重変換器の取り付け高さ及び荷重変換器の三方向の取付方向の精度が高い地上コイルに働く荷重を計測する荷重変換装置を提供する。【解決手段】  磁気浮上式鉄道に配置される地上コイルに働く荷重を計測する荷重変換装置において、パネル１に固定されるためのボルト穴３が形成された台座４と、この台座４に一体化された荷重変換器５と、この荷重変換器５に一体化されたスタットボルト６と、このスタットボルト６を貫通して前記荷重変換器５の上面に当接され、ナット８で地上コイル７を取り付ける。【選択図】  図１
2008209282.tif 000002
【特許請求の範囲】
【請求項１】
磁気浮上式鉄道に配置される地上コイルに働く荷重を計測する荷重変換装置において、
（ａ）パネルに固定されるためのボルト穴が形成された台座と、
（ｂ）該台座に一体化された荷重変換器と、
（ｃ）該荷重変換器に一体化されたスタットボルトと、
（ｄ）該スタットボルトを貫通して前記荷重変換器の上面に当接され、ナットで地上コイルを取り付けることを特徴とする地上コイルに働く荷重を計測する荷重変換装置。
【請求項２】
請求項１記載の地上コイルに働く荷重を計測する荷重変換装置において、前記荷重変換器のｘ軸方向及びｚ軸方向の設定を前記ボルト穴に締着するボルトで行うことを特徴とする地上コイルに働く荷重を計測する荷重変換装置。
【請求項３】
請求項１記載の地上コイルに働く荷重を計測する荷重変換装置において、前記台座には調整板を敷くようにしたことを特徴とする地上コイルに働く荷重を計測することを特徴とする地上コイルに働く荷重を計測する荷重変換装置。
【請求項４】
請求項３記載の地上コイルに働く荷重を計測する荷重変換装置において、前記荷重変換器のｙ軸方向の調整を前記調整板で行うことを特徴とする地上コイルに働く荷重を計測する荷重変換装置。
【発明の詳細な説明】
【技術分野】
【０００１】
本発明は、磁気浮上式鉄道に配置される地上コイルに働く荷重を計測する荷重変換装置に関するものである。
【背景技術】
【０００２】
従来、このような分野の磁気浮上式鉄道に配置される地上コイルに働く荷重を計測する荷重変換装置としては、以下に示すようなものがあった。
【０００３】
図９はかかる磁気浮上式鉄道に配置される地上コイルに働く荷重を計測する荷重変換装置の構成図、図１０はその荷重変換器の表側から見た斜視図、図１１はその荷重変換器の裏側から見た斜視図である。
【０００４】
これらの図に示すように、１０１は磁気浮上式鉄道の軌道の側面に配置されるパネル、１０２はそのパネルに固定される第１のスタットボルト、１０３はその第１のスタットボルトに固定される荷重変換器（３分力計）、１０４は荷重変換器１０３を固定する第１のナット、１０５は荷重変換器１０３の位置を固定する位置固定金具、１０５Ａは荷重変換器１０３の裏側から形成されたボルト穴、１０６は荷重変換器１０３に固定される第２のスタットボルト、１０７は第２のスタットボルト１０６に固定される地上コイル、１０８は地上コイルを固定する第２のナット、１０９は荷重変換器１０３からの出力信号を導くケーブルである。
【０００５】
また、同様の力覚センサや荷重センサとしては、下記特許文献１や２が提案されているが、その取り付けは容易なものではなかった。
【特許文献１】特開２００６−３１７２２２号公報
【特許文献２】特開２００６−３２９６５３号公報
【発明の開示】
【発明が解決しようとする課題】
【０００６】
しかしながら、上記した従来タイプの荷重変換装置は、荷重変換器１０３を第１のスタッドボルト１０２にねじ込むことにより取り付けるねじ込み式であったために荷重変換器１０３を回転しなければならなかった。また、このように荷重変換器１０３を回転させる方式では、ネジピッチでの調整しかできなかった。更に、最終トルクで締付けると回転してしまい垂直、Ｆｚ方向の位置の設定が大変難しいといった問題がある。
【０００７】
また、荷重変換器１０３は、位置固定金具１０５と第１のナット１０４により、位置を固定するとともに第１のナット１０４により締付けて固定するようにしており、その位置決め及び取り付けに難があった。
【０００８】
本発明は、上記状況に鑑みて、荷重変換器は通常のボルト固定式であり、荷重変換器を回転しなくてもよく、荷重変換器の取付けが極めて容易であり、荷重変換器の取り付け高さ及び荷重変換器の三方向の取付方向の精度が高い地上コイルに働く荷重を計測する荷重変換装置を提供することを目的とする。
【課題を解決するための手段】
【０００９】
本発明は、上記目的を達成するために、
〔１〕磁気浮上式鉄道に配置される地上コイルに働く荷重を計測する荷重変換装置において、パネルに固定されるためのボルト穴が形成された台座と、この台座に一体化された荷重変換器と、この荷重変換器に一体化されたスタットボルトと、このスタットボルトを貫通して前記荷重変換器の上面に当接され、ナットで地上コイルを取り付けることを特徴とする。
【００１０】
〔２〕上記〔１〕記載の地上コイルに働く荷重を計測する荷重変換装置において、前記荷重変換器のｘ軸方向及びｚ軸方向の設定を前記ボルト穴に締着するボルトで行うことを特徴とする。
【００１１】
〔３〕上記〔１〕記載の地上コイルに働く荷重を計測する荷重変換装置において、前記台座には調整板を敷くようにしたことを特徴とする。
【００１２】
〔４〕上記〔３〕記載の地上コイルに働く荷重を計測する荷重変換装置において、前記荷重変換器のｙ軸方向の調整を前記調整板で行うことを特徴とする。
【発明の効果】
【００１３】
本発明によれば、従来のスタッドボルトねじ込み式に代えて、通常のボルト固定式とすることにより、荷重変換器の取り付けを容易にすることができる。また、台座に調整板により調整することにより、荷重変換器の取り付け高さの調整を容易にすることができる。更に、通常のボルト固定式により、所定の位置で固定可能になり、荷重変換器のｚ軸方向の設定も簡便に行うことができる。
【発明を実施するための最良の形態】
【００１４】
本発明の磁気浮上式鉄道に配置される地上コイルに働く荷重を計測する荷重変換装置において、パネルに固定されるためのボルト穴が形成された台座と、この台座に一体化された荷重変換器と、この荷重変換器に一体化されたスタットボルトと、このスタットボルトを貫通して前記荷重変換器の上面に当接され、ナットで地上コイルを取り付ける。
【実施例】
【００１５】
以下、本発明の実施の形態について詳細に説明する。
【００１６】
図１は本発明の実施例を示す磁気浮上式鉄道に配置される地上コイルに働く荷重を計測する荷重変換装置の構成図である。
【００１７】
この図において、１は磁気浮上式鉄道の軌道の側面に配置されるパネル、２はパネル１上に固定されるボルト穴３が形成された高さ調整板、４はその調整板２の上に配置される台座、５は台座４に一体化されている荷重変換器（ここでは、３分力計であるが、１分力や２分力計であっても適用できる）、６は荷重変換器５に一体化されているスタットボルト、７はスタットボルト６を貫通して前記荷重変換器５の上面に当接され、ナット８で固定される地上コイルである。
【００１８】
図２は本発明の実施例を示す台座上にスタットボルト付き荷重変換器を表側から見た斜視図、図３はその側面図、図４はその裏面から見た斜視図である。
【００１９】
これらの図に示すように、台座４にはボルト穴３が形成されており、荷重変換器は台座４には荷重変換器５が一体化されており、その荷重変換器５にはスタットボルト６が一体化されている。なお、９は荷重変換器５からの出力信号を導くケーブルである。
【００２０】
図５は本発明の実施例を示す台座上にスタットボルト付き荷重変換器がパネル上に固定された状態を示す図、図６は本発明の実施例を示す４個の台座上にスタットボルト付き荷重変換器がパネル上に固定された状態を示す図である。
【００２１】
これらの図に示すように、台座４上のスタットボルト６付き荷重変換器５がパネル１上にボルト３Ａにより取り付けられるようになっている。
【００２２】
図７は本発明の実施例を示す台座上にスタットボルト付き荷重変換器に計測のための地上コイルが設けられた状態を示す側面図、図８は本発明の実施例を示す荷重変換器が取り付けられた地上コイルを表側からみた斜視図である。
【００２３】
このように、地上コイル７の４箇所にスタットボルト６が貫通してナット８で締着されるようになっている。
【００２４】
したがって、地上コイル７に作用する荷重は、荷重変換器で的確に計測することができる。
【００２５】
上記したように構成したので、従来タイプの荷重変換装置は、スタッドボルトねじ込み式であったため荷重変換器を回転しなければならなかった。また、位置固定金具やナット締付け工具が必要であり、取り付けに難があった。特に、現地計測のように計測コイルの隣にも地上コイルがある場合には、工具も入らない状態が発生していた。このため、隣の地上コイルを取り外す必要があった。
【００２６】
これに対して、本発明の荷重変換構造は、通常ボルト固定式であり、荷重変換器を回転しなくてよく、その取り付けには特殊なボルトやナット及び取付工具も不要である。このため、隣の地上コイルを取り外す必要がなくなった。
【００２７】
また、従来タイプの荷重変換構造は、スタッドボルトねじ込み式であったためネジピッチでの荷重変換器高さの調整しかできなかった。これに対して、本発明の荷重変換装置は、荷重変換器の高さの調整にあたり、調整板２で細かい微妙な調整も可能である。ただし、荷重変換器の高さの調整の必要がない場合には、調整板２は省略することができる。
【００２８】
更に、従来タイプの荷重変換構造は、スタッドボルトねじ込み式であったため最終トルクで締付けると荷重変換器が回転してしまい垂直、つまりｚ軸方向の設定が困難であった。これに対して、本発明の荷重変換構造は、通常ボルト固定式であり、所定の位置で固定可能であり、垂直、つまりｚ軸方向の設定が簡単であり、三方向（ｘ，ｙ，ｚ）の取付方向精度を高めることができる。
【００２９】
なお、本発明は上記実施例に限定されるものではなく、本発明の趣旨に基づき種々の変形が可能であり、これらを本発明の範囲から排除するものではない。
【産業上の利用可能性】
【００３０】
本発明の地上コイルに働く荷重を計測する荷重変換装置は、磁気浮上式鉄道の地上コイルに作用する荷重を的確に計測するための荷重変換装置として利用可能である。
【図面の簡単な説明】
【００３１】
【図１】本発明の実施例を示す磁気浮上式鉄道に配置される地上コイルに働く荷重を計測する荷重変換装置の構成図である。
【図２】本発明の実施例を示す台座上にスタットボルト付き荷重変換器を表側見た斜視図である。
【図３】本発明の実施例を示す台座上にスタットボルト付き荷重変換器の側面図である。
【図４】本発明の実施例を示す台座上にスタットボルト付き荷重変換器の裏面から見た斜視図である。
【図５】本発明の実施例を示す台座上にスタットボルト付き荷重変換器がパネル上に固定された状態を示す図である。
【図６】本発明の実施例を示す４個の台座上にスタットボルト付き荷重変換器がパネル上に固定された状態を示す図である。
【図７】本発明の実施例を示す台座上にスタットボルト付き荷重変換器に計測のための地上コイルが設けられた状態を示す側面図である。
【図８】本発明の実施例を示す荷重変換器が取り付けられた地上コイルを表側から見た斜視図である。
【図９】従来の磁気浮上式鉄道に配置される地上コイルに働く荷重を計測する荷重変換装置の構成図である。
【図１０】従来の磁気浮上式鉄道に配置される地上コイルに働く荷重を計測する荷重変換器の表側から見た斜視図である。
【図１１】従来の磁気浮上式鉄道に配置される地上コイルに働く荷重を計測する荷重変換器の裏側から見た斜視図である。
【符号の説明】
【００３２】
１    磁気浮上式鉄道の軌道の側面に配置されるパネル
２    調整板
３    ボルト穴
３Ａ    ボルト
４    台座
５    荷重変換器
６    スタットボルト
７    地上コイル
８    ナット
９    ケーブル
【図１】
2008209282.tif 000003
【図９】
2008209282.tif 000004
【図２】
2008209282.tif 000005
【図３】
2008209282.tif 000006
【図４】
2008209282.tif 000007
【図５】
2008209282.tif 000008
【図６】
2008209282.tif 000009
【図７】
2008209282.tif 000010
【図８】
2008209282.tif 000011
【図１０】
2008209282.tif 000012
【図１１】
2008209282.tif 000013